(57)【特許請求の範囲】
【請求項１】
軸支孔を有するトリガレバーが、引き外し装置用フレームに前記軸支孔で軸支され、一端が前記トリガレバーに、他端が前記引き外し装置用フレームに掛止されたトーションスプリングにより、前記トリガレバーに付勢力を付与するトリガレバーと引き外し装置用フレームの組付構造において、前記トリガレバーの軸支孔を横断するように切り欠いた形状の、前記トーションスプリングが格納される格納部を、トリガレバーに形成するとともに、前記格納部に格納されたトーションスプリングの一端を掛止して保持するための掛止片を、前記格納部に設け、
前記格納部は、前記引き外し装置用フレームの外側に位置していることを特徴とするトリガレバーと引き外し装置用フレームの組付構造。
【請求項２】
掛止片は、トーションスプリングの惓回部の側面を拘束する格納壁の、一方から他方の方向に突設されていることを特徴とする請求項１に記載のトリガレバーと引き外し装置用フレームの組付構造。
【請求項３】
トリガレバーを引き外し装置用フレームに組み付けると、トーションスプリングの一端が、引き外し装置用フレームの下端の掛止部に掛止されることを特徴とする請求項１または請求項２のいずれかに記載のトリガレバーと引き外し装置用フレームの組付構造。
【発明の詳細な説明】
【技術分野】
【０００１】
本発明は、配線用遮断器や漏電遮断器の過電流引き外し部に使用される、トリガレバーと引き外し装置用フレームの組付構造に関するものである。
【背景技術】
【０００２】
配線用遮断器や漏電遮断器は、過電流が流れた時に、バイメタルもしくは瞬時装置が、トリガレバーを引いてラッチを外すことにより、引き外し装置が回路を遮断する。このトリガレバーは、その下端部が引き外し装置用フレームに軸止されており、常時は引き外し動作をしない方向に付勢されて、ラッチを係合している。
【０００３】
従来、トリガレバーを引き外し装置用フレームに組み付ける際には、特許文献１に示すように、スプリングを縮めながら保持しつつ組み付けていた。しかしながらこの方法では、組付中にスプリングが脱落する恐れがあり、作業性が悪いことから、組み立てに手間がかかる問題があった。
【０００４】
そこで、組付中にスプリングが脱落することがなく、作業性を向上させて組付が容易な、トリガレバーと引き外し装置用フレームの組付構造の開発が要望されていた。
【０００５】
【特許文献１】特開平１１−０６７０５０号公報
【発明の開示】
【発明が解決しようとする課題】
【０００６】
本発明は上記のような問題点を解決して、組付中にスプリングが脱落することがなく、作業性を向上させて組付が容易なトリガレバーと引き外し装置用フレームの組付構造を提供することを目的として完成されたものである。
【課題を解決するための手段】
【０００７】
上記課題を解決するためになされた本発明は、軸支孔を有するトリガレバーが、引き外し装置用フレームに前記軸支孔で軸支され、一端が前記トリガレバーに、他端が前記引き外し装置用フレームに掛止されたトーションスプリングにより、前記トリガレバーに付勢力を付与するトリガレバーと引き外し装置用フレームの組付構造において、前記トリガレバーの軸支孔を横断するように切り欠いた形状の、前記トーションスプリングが格納される格納部を、トリガレバーに形成するとともに、前記格納部に格納されたトーションスプリングの一端を掛止して保持するための掛止片を、前記格納部に設け、前記格納部は、前記引き外し装置用フレームの外側に位置していることを特徴とするものである。なお、掛止片は、トーションスプリングの惓回部の側面を拘束する格納壁の、一方から他方の方向に突設されていることが好ましい。
【０００８】
なお、トリガレバーを引き外し装置用フレームに組み付けると、トーションスプリングの一端が、引き外し装置用フレームの下端の掛止部に掛止されることが好ましい。
【発明の効果】
【０００９】
トーションスプリングが格納される格納部を、トリガレバーの軸支孔を横断するようにトリガレバーに形成するとともに、前記格納部に格納されたトーションスプリングの一端を掛止して保持するための掛止片を前記格納部に設けたので、組付中にスプリングが脱落することがなく、作業性を向上させて組付が容易となる。
【００１０】
トリガレバーを引き外し装置用フレームに組み付けると、トーションスプリングの一端が引き外し装置用フレームの下端の掛止部に掛止され、トリガレバーは常に引き外し装置用フレーム側に付勢される構造となるので、容易に組み付けることができるトリガレバーと引き外し装置用フレームの組付構造を提供することが可能となる。また、トーションスプリングを付け忘れた場合には、トリガレバーが倒れてスプリングの付け忘れが分かるので、スプリングの付け忘れを防止することが可能となる。
【発明を実施するための最良の形態】
【００１１】
以下に、図面を参照しつつ本発明の好ましい実施の形態を示す。
図１はトリガレバーの斜視図である。１はトリガレバーであり、このトリガレバー１の下端には、幅方向を貫通する軸支孔２が形成されている。また、トリガレバー１の下端には、軸支孔２を横断するように切り欠いた形状の格納部３が形成されている。図２にトリガレバーの格納部の断面図を、図３にトリガレバーの格納部の裏面図を示す。トリガレバー１の下端を切り欠いた格納部３により、格納壁３ａと格納壁３ｂが形成されている。この格納壁３ａと格納壁３ｂの間を繋ぐように格納壁３ｃが形成され、この格納壁３ｃの内側はスプリングの惓回部４ａの形状に対応するように円弧形状をしている。これら格納壁３ａ、３ｂ、３ｃに囲まれた格納部３には、トーションスプリング４の惓回部４ａと軸支孔２が同軸になるように、トーションスプリング４が格納され、格納壁３ａ、３ｂはトーションスプリング４の惓回部４ａの側面を拘束する。
【００１２】
格納部３の下端には、掛止片５が格納壁３ｂから格納壁３ａ方向に突設され、トーションスプリング４を、トリガレバー１の格納部３に格納すると、トーションスプリング４の惓回部４ａの両側面は、格納壁３ａ、３ｂにより拘束され、トーションスプリング４の一端４ｂが掛止片５で掛止され、トーションスプリング４の他端４ｃが格納部の上部６で掛止され、トーションスプリング４の惓回部４ａが格納壁３ｃで保持されることにより、トーションスプリング４が格納部３内で、押縮されつつ保持されるので、トーションスプリング４が格納部３から脱落することがない。
【００１３】
次に、トリガレバー１と引き外し装置用フレーム７の組付を説明する。図４に引き外し装置用フレームの斜視図を示す。トリガレバー１には、引き外し装置用フレームの端部８と係合するように、係合溝９、１０が形成されているので、トリガレバー１を引き外し装置用フレーム７に組み付ける際には、引き外し装置用フレームの端部８が、係合溝９、１０に係合することにより、軸支孔２と引き外し装置用フレームの軸支孔１１が、同軸となるように位置決めをすることが可能となる。
【００１４】
図５にトリガレバーと引き外し装置用フレームの組付状態の斜視図を示し、図６にトリガレバー１と引き外し装置用フレームの組付状態を示す断面斜視図を示し、図７及び図８に軸支部詳細を示す断面斜視図を示す。トーションスプリング４がトリガレバー１に格納された状態で、引き外し装置用フレーム７に組み付ける際には、掛止片５で掛止されているトーションスプリング４の一端４ｂが、引き外し装置用フレーム７の下端の掛止部１２により押され、トーションスプリング４が押縮されながら格納壁３ｃで保持されるので脱落することがない。
【００１５】
軸支孔２と引き外し装置用フレームの軸支孔１１が同軸となるようにトリガレバー１を配置後、枢軸１３を軸支孔２に挿入すると、トリガレバー１が引き外し装置用フレーム７に軸支され、組付が完了する。トーションスプリング４の一端は、引き外し装置用フレーム７の掛止部１２で掛止され、他端はトリガレバー１の格納部の上部６で掛止されて、トーションスプリング４が押縮されるので、トリガレバー１は常に、引き外し装置用フレーム７側に付勢される。トーションスプリング４を付け忘れると、トリガレバー１がトーションスプリング４で付勢されないので、トリガレバー１が倒れてトーションスプリング４の付け忘れが分かるので、トーションスプリング４の付け忘れを防止することができる。
【００１６】
図９に示すように、回路遮断器の筐体１４の引き外し装置用フレーム７が組み付けられる部分には、係合孔１５が設けられている。一方引き外し装置用フレーム７の下部には係合爪１６が設けられ、引き外し装置用フレーム７を筐体１４に組み付ける際に、係合爪１６が係合孔１５に係合し、取付のための位置決めをすることが可能となり、（図５の状態）また、引き外し装置用フレーム７を、筐体１４に組み付けるためのボルトを削減することが可能となる。
【００１７】
図１０に示すように、引き外し装置用フレーム７を筐体１４に組み付けると、軸支孔２を覆うように、筐体１４に設けられたリブ１７が、枢軸１３の脱落を防止することとなり、組み付け後に枢軸１３の端部を、脱落防止のために嵌める等の工程をなくすことが可能となる。
【００１８】
以上に説明したように、本発明によれば、トリガレバー１の軸支孔２を横断するように切り欠いた、トーションスプリング４が格納される格納部３を、トリガレバー１に形成するとともに、格納部３に格納されたトーションスプリング４の一端４ｂを掛止して保持するための掛止片５を、格納部３に設けたので、組み付け中にトーションスプリング４が脱落することがなく、作業性を向上させて組付が容易な、トリガレバーと引き外し装置用フレームの組付構造を提供することが可能となった。
【００１９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うリガレバーと引き外し装置用フレームの組付構造もまた技術的範囲に包含されるものとして理解されなければならない。
【図面の簡単な説明】
【００２０】
【図１】トリガレバーの斜視図である。
【図２】トリガレバーの格納部の断面図
【図３】トリガレバーの格納部の裏面図
【図４】引き外し装置用フレームの斜視図である。
【図５】トリガレバーと引き外し装置用フレームの組付状態を示す斜視図である。
【図６】トリガレバーと引き外し装置用フレームの組付状態を示す断面斜視図である。
【図７】軸支部詳細の断面斜視図
【図８】軸支部詳細の断面斜視図
【図９】回路遮断器の筐体の斜視図である。
【図１０】回路遮断器の内部図である。
【符号の説明】
【００２１】
１      トリガレバー
２      軸支孔
３      格納部
３ａ    格納壁
３ｂ    格納壁
３ｃ    格納壁
４      トーションスプリング
４ａ    トーションスプリングの惓回部
４ｂ    トーションスプリングの一端
４ｃ    トーションスプリングの他端
５      掛止片
６      格納部の上部
７      引き外し装置用フレーム
８      引き外し装置用フレームの端部
９      係合溝
１０    係合溝
１１    引き外し装置用フレームの軸支孔
１２    掛止部
１３    枢軸
１４    筐体
１５    係合孔
１６    係止爪
１７    リブ
【図１】
0004789251.tif 000002
【図２】
0004789251.tif 000003
【図３】
0004789251.tif 000004
【図４】
0004789251.tif 000005
【図５】
0004789251.tif 000006
【図６】
0004789251.tif 000007
【図７】
0004789251.tif 000008
【図８】
0004789251.tif 000009
【図９】
0004789251.tif 000010
【図１０】
0004789251.tif 000011